(57)【要約】【課題】  ヘルメット装着者の存在を充分に周囲に認知させて、前記ヘルメット装着者を危険から回避するとともに、前記ヘルメット装着者に危険が近づいたときに、前記装着者間でも危険回避合図が認知できるようにし、危険回避が完全に行えるヘルメットが望まれている。【解決手段】  透明本体のヘルメットの透明体に接触して複数のＬＥＤを配設し、前記ＬＥＤの発光を制御する発光制御手段を有する発光性ヘルメットを用いる。【選択図】    図５
2007023459.tif 000002
【特許請求の範囲】
【請求項１】
透明本体のヘルメットの透明体に接触して複数のＬＥＤを配設し、前記ＬＥＤの発光を制御する発光制御手段を有することを特徴とする発光性ヘルメット。
【請求項２】
前記透明体の内面に前記ＬＥＤの発光面が接触し、前記透明体の内面および／または外面の少なくとも一部に、リブおよび／または細かい凹凸を設け、前記透明体の内面に発光塗料層を設けたことを特徴とする請求項１記載の発光性ヘルメット。
【請求項３】
前記発光制御手段が、前記複数のＬＥＤを時間差をもって発光させる時間差手段を有することを特徴とする請求項１または２の発光性ヘルメット。
【請求項４】
無線で送信された信号を受信する受信器を有し、前記受信器に電気的に結合され、前記制御を前記信号により行うことが可能な前記発光制御手段を有することを特徴とする請求項１乃至３の発光性ヘルメット。
【請求項５】
前記リブおよび／または細かい凹凸を特定領域に設けたことを特徴とする請求項２の発光性ヘルメット。
【請求項６】
バイブレーターを有することを特徴とする請求項１乃至５の発光性ヘルメット。
【請求項７】
前記バイブレーターが、前記受信器に電気的に結合され、前記信号により作動が制御されることを特徴とする請求項４の発光性ヘルメット。
【発明の詳細な説明】
【技術分野】
【０００１】    本発明は、発光性ヘルメットに関するもので、保護帽、安全ヘルメットなどのヘルメットにおいて、必要に応じ、内蔵したＬＥＤを発光させる発光性ヘルメットに関するものである。
【背景技術】
【０００２】    従来、例えば作業現場などで、安全の目的から、現場作業者が着用するヘルメットにＬＥＤを外装し、あるいは、反射チョッキにＬＥＤを内装または外装して、前記作業者の存在、位置を周囲に認知させることが行われている。一方、離れた位置にいる危険監視者から、無線または有線によって、前記作業者の近くに置かれた回転灯やサイレンなどの警報装置を作動させて、前記作業者に危険を知らせる警告システムが用いられている。また、無線通信システムによって、前記作業者に危険を音声で知らせる警告システムも知られている。【０００３】  この中で、前記ＬＥＤを使用する方法は、複数で作業している前記作業者が相互に危険を確認しあえるので、見落としが少なくなる利点を有する。しかしながら、前記ＬＥＤは指向性が強く、相互の視認性、周囲の認知性が充分ではなかった。例えば、特許文献１にヘルメットにＬＥＤを外装させるものが知られているが、これは指向性が強く、多数のＬＥＤを必要とするし、それでも、充分とは言えなかった。【０００４】    また、例えば、特許文献２に記載されているように、ＬＥＤを内蔵するヘルメットで、装着者の存在を周囲に認知させることも知られているが、局部的な透明保護領域のために、指向性が強く、充分な認知性が得られていない。
【特許文献１】登録実用新案第３０４５０６２号
【特許文献２】実開平６−５４７３３号
【発明の開示】
【発明が解決しようとする課題】
【０００５】    ヘルメット装着者の存在を充分に周囲に認知させて、前記ヘルメット装着者を危険から回避するとともに、前記ヘルメット装着者に危険が近づいたときに、前記装着者間で危険回避合図が認知できるようにし、危険回避が完全に行えるヘルメットが望まれている。
【課題を解決するための手段】
【０００６】    本発明者等は、透明なヘルメット本体の透明体に接触して複数のＬＥＤを配設し、前記ＬＥＤの発光を制御する発光制御手段を有する発光性ヘルメットが、前記課題を解決できることを見出した。前記発光性ヘルメットが発光する際に非常に高い認知性を有することによる。このとき、前記ＬＥＤが発光すると光が前記透明体の中を前記透明体内部の両面で一部反射されて全体に拡散し、前記発光体ヘルメット全体に光が回ることにより、前記ＬＥＤの指向性がなくなるものである。【０００７】    この認知性は、前記透明体の内面および／または外面の少なくとも一部に、リブおよび／または細かい凹凸を設け、前記透明本体の内面に発光塗料層を設けることにより、更に高められる。また、前記発光制御手段に、前記複数のＬＥＤを時間差をもって発光させる時間差手段を設けることによって、強い発光部分をヘルメット周辺に回転させるように視認させることにより、危険の近づきを前記ヘルメット装着者全員に漏れなく、認知させることができる。【０００８】    このとき、通常は、前記ＬＥＤ全体を点灯させておき、危険が近づいたときに、前記ＬＥＤが回転して見えるように、前記発光制御手段の制御を設定しておくと、前記ヘルメット装着者の存在を周囲に認知させ得るだけでなく、前記装着者に危険が近づいたときに前記ＬＥＤ回転により、前記装着者全員に相互に危険を知らせることによって、危険回避が完全にできるようになる。【０００９】    前記制御手段は、ヘルメットを装着したときに、前記ヘルメット内部のスィッチが頭部で押されて自動的入るようにすることもできるし、前記装着者がマニュアルでスィッチを入れたり、切ったりすることができるように構成することを、通常の一般的なスィッチを用いてできることは、明らかである。更には、前記発光性ヘルメットに、無線で送信された信号を受信する受信器を有せしめ、前記受信器に電気的に結合され、前記制御を前記信号により行うことが可能な前記発光制御手段を有せしめた発光性ヘルメットで或る場合には、外部からの信号の発信で、前記装着者に危険を回避するように、知らしめることもできる。【００１０】    前記発光性ヘルメットの前記リブおよび／または細かい凹凸を特定領域に設けることにより、文字、絵を表示させることもでき、前記装着者の所属を周囲に認知させ得るばかりではなく、広告、あるいは、デザインを活用した発光性ヘルメットができる。前記リブおよび／または細かい凹凸の細かさについて、特定領域を堺に違えることによってもデザイン等を表現することもできる。【００１１】    前記発光性ヘルメットに、更に、バイブレータを内蔵させると危険回避が更に向上させることが出来る。前記バイブレータが前記受信器に電気的に結合され、前記信号により作動が制御されるように発光性ヘルメットを構成することにより、外部化からの信号送信で、色々な発光態様が選択できて、最終的に危険を、前記バイブレータを作動させることによって、確実に前記装着者に認知させ得る。前記バイブレータは、市販の小型のものが用いられる。例えば、携帯電話に使用されている振動装置が用いられる。【００１２】    本発明において、透明なヘルメット本体は、金属製のヘルメットの外表面��樹脂の透明層を塗布あるいは流延等の通常の手段で設ける方法で作成することが出来るが、好ましくは、ヘルメット全体を透明樹脂で成型して作成される。全体が透明な場合は、鍔の部分、あるいは、内面全体あるいは特定部分に太陽をさえぎるマスクを作成するする必要のあるときは、印刷あるいは塗布により前記マスクを作成することができる。【００１３】    本発明の前記透明なヘルメット本体の透明体に接触して前記複数のＬＥＤが配設されるが、前記ＬＥＤ表面を前記透明体に接触して、あるいは前記ＬＥＤ部分が前記透明体内に入る形で配設される。このとき、前記ＬＥＤは、市販されているものが使用でき、前記透明体内部に入り込んで配設されるときは、樹脂の金型に予め対応する凸部を設けておくと、出来上がりと、前記ＬＥＤを収納する凹部ができる。また、金属製のヘルメットを用いるときには、金属部分に前記ＬＥＤのための穴部を設ければよい。【００１４】    前記発光制御手段は、前記ＬＥＤへの電流を入れあるいは切るあるいは時間差をもって複数の入れ切りができる一般的に売られている自動的な制御用の電気回路を用いるあるいはマニュアルのスィッチが用いられる。【００１５】    透明樹脂としては、好ましくは、ポリカーボネートが一般的で、ＡＢＳ樹脂（アクリロニトリル／ブタジェン／スチレン共重合体）も用いることができる。また、アクリル樹脂も光学的には、好ましい。また、電源は、１次、２次の電池が用いられ、前記発光性ヘルメットに内装され、前記発光制御手段を介して、各々の前記ＬＥＤに電気的に接続されている。
【発明の効果】
【００１６】    本発明の発光性ヘルメットは、前記のように構成されるから、装着者自身のみでなく、周囲の装着者にも認知させ、危険防止のためのシグナルもお互いに見落とすことなく視認され得るものである。また、光が前記ヘルメット全体に行き渡るので、周囲が前記装着者の存在と、位置が確認できるので、周囲が危険避けることもできる。更にバイブレータとの併用で、危険防止を確実に行うこともできる。また、無線装置を使用する場合も、無線電話装置のような大掛かりで高価なものを使用することもなく、安価な装置で確実に危険を知らせることができる。また、周囲の雑音で音声による危険通知が聞き取り難い現場でも、振動で危険を知らせるために、騒音に左右されることもなく、危険回避ができる。
【発明を実施するための最良の形態】
【００１７】    以下、本発明を、図面を用いて、実施例により更に具体的に説明するが、これらに限定されるものはなく、種々の態様が、目的に応じて選ぶことができる。
【実施例】
【００１８】    図１は、本発明の１実施例の斜視概念図である。１は、ポリカーボネート樹脂を成型してつくられた透明な発光ヘルメット本体で、鍔部２を有し、内面にＬＥＤ３が配設され、電源７と受信器兼発光制御器５を介して、導線８により電気的に結合されている。４はバイブレータで、受信器兼発光制御器５を介して導線８により電源７に電気的に結合されている。鍔部１は、着色されている。【００１９】    図２乃至図４は、図１の部分断面図であり、図２は、前記ＬＥＤ３の装着部分であり、図３は、バイブレータ４の装着部分である。図４は、受信器兼発光制御器５の装着部分である。電源７の装着部分の部分断面図は省略されているが、図３において、バイブレータ４を電源７に置き換えたものである。【００２０】    図２において、ＬＥＤ３は、基体３１に固定され、前記発光ヘルメットの透明体１１内に入り込む形で、基体３１が、反射板あるいはマスク６を介して、接着あるいはネジ止めで、前記発光ヘルメットに固定配設されている。１２は、前記発光ヘルメット１の外表面上に設けられた１細かい凹凸で、外部からの光を乱反射するとともに前記ＬＥＤが発光されたときに光を内部に適当に散乱させる効果を有する。ＬＥＤ３は導線８により、前記受信器兼発光制御器に電気的に結合されている。【００２１】    図３において、バイブレータ４は、外表面に細かい凹凸１２を有する透明体１１に反射膜あるいはマスク１２を有する前記発光ヘルメットにはめ込み、接着あるいはネジ止めされていて、導線８により、前記受信器兼発光制御器に電気的に結合されている。【００２２】    図４において、受信器兼発光制御器５は、導線８により、前記ＬＥＤ、前記バイブレータおよび前記電源と電気的に接続されていて、外表面に細かい凹凸１２を有する透明体１１に反射膜あるいはマスク１２を有する前記発光ヘルメットに、はめ込み、接着あるいはネジ止めされている。【００２３】    図５は、図１の発光性ヘルメット１を前後に半分に切断した断面図である。細かい凹凸１２を有する透明体１１の内面に反射膜あるいはマスク６を有している。鍔部２は前記したように着色されている。前記発光性ヘルメットは、内装ベルト１０を持っていて、装着時に、頭部に固定されるようになっている。前記発光性ヘルメットは、このように構成されるので、太陽光が直接に前記頭部に照射されるのを防ぐことができる。前記発光性ヘルメットは、更に発泡ウレタンのような衝撃吸収材９を有していて、装着時に前記頭部を衝撃から守ることができる。【００２４】    ３はＬＥＤで、導線８により、受信器兼発光制御器５に電気的に結合され、４はバイブレータで、導線８により、前記受信器兼発光制御器に電気的に結合されている。また、電源７も導線８により、前記受信器兼発光制御器に電気的に結合されている。【００２５】    図１の発光性ヘルメットは、以上のように構成されるので、例えば、作業現場でもちいるものである場合は、前記ヘルメットの強度等は、保護帽の規格を満足されるように制作されることは、記載するまでもない。前記ヘルメットを線路工事などの作業現場で、現場作業者が装着すると、電車の運行に注意を払っている危険監視者による危険の合図を無線で、知らせると、���記危険監視者が所有する発信器は図示されていないが、受信器が信号を受信して、前記ＬＥＤを前記ヘルメット周囲を回転していると視認するように順次点滅を繰り返すと同時に、前記バイブレータが振動を開始するので、現場作業者全員が周囲の騒音に惑わされることなく、確実に危険が近いことを認知することができる。また、電車の運転手にも、遠くから、作業現場と、作業員が働いていることを認知することができる。【００２６】    夜などの作業においては、通常は、前記ＬＥＤを点灯しておいて、危険時に点滅、例えば順次点滅と同時に前記バイブレータを振動させると、通常時に、作業している作業員の人数と位置の確認と作業状況の確認ができるとともに、危険時に確実に退避している状態が危険監視者に認知できる。夜の道路工事のような場合も、車の運転者に作業員を認知できるので、この点で、作業員の危険回避だけでなく、車の運転者も事故の事前回避ができるようになる。
【図面の簡単な説明】
【００２７】
【図１】  本発明の１実施例に発光性ヘルメットの斜視概念図である。
【図２】  図１のＬＥＤの装着部分の部分断面図である。
【図３】  図１のバイブレータの装着部分の部分断面図である。
【図４】  図１の受信器兼発光制御器の装着部分の部分断面図である。
【図５】  図１の発光性ヘルメットの前後に半分に切断した断面図である。
【符号の説明】
【００２８】  １      発光性ヘルメット
３      ＬＥＤ
４      バイブレータ
５      受信器兼発光制御器
６      反射膜またはマスク
７      電源
９      衝撃吸収体
１０    ベルト
１１    透明体
１２    細かい凹凸
【図１】
2007023459.tif 000003
【図２】
2007023459.tif 000004
【図３】
2007023459.tif 000005
【図４】
2007023459.tif 000006
【図５】
2007023459.tif 000007